(57)【要約】【課題】            表示タグにあって表示部（プレート）と、それを吊持するための取り付けピンが別々に分離されているため、装着作業が煩わしかったという点であり、特に商品が活魚の場合、その対象も動くため容易に装着することができなかったという点、加えて、表示部（プレート）と係止用のＴ字バーを連続する支持ピンを一体化した場合、それを装着器具を使用するためランナー部材に一体装備したアッセンブリとした時、表示部（プレート）の向きがランナー部材の軸線方向と揃ってしまうと、表示部（プレート）への情報内容のプリントが極めて困難となってしまうという点である。【解決手段】        商品に係止されるＴ字バー部と、そのＴ字バーから一体に延設されている支持ピン部と、その支持ピン部の先端に商品の内容、生態情報やブランドの情報を示す板状の表示プレートが一体に連接されていることとする。【選択図】          図１１
2010224511.tif 000002
【特許請求の範囲】
【請求項１】
商品に係止されるＴ字バー部と、そのＴ字バーから一体に延設されている支持ピン部と、その支持ピン部の先端に商品の内容、生態情報やブランドの情報を示す板状の表示プレートが一体に連接されていることを特徴とする表示タグ。
【請求項２】
前記表示プレートに示される情報はプリントあるいはシールの部分貼着、もしくはシールの全体被包貼着やインサート成形によってなされていることを特徴とする請求項１に記載の表示タグ。
【請求項３】
前記した表示タグは、初期的にＴ字バー部が接続部を介して所定のピッチでランナー部材に接続された一連のアッセンブリとされていることを特徴とする請求項１または請求項２に記載の表示タグ。
【請求項４】
前記した表示プレートの幅は、前記したＴ字バー部の長さよりも大きいことを特徴とする請求項１、請求項２または請求項３に記載の表示タグ。
【請求項５】
前記した表示プレートの面積は１５０ｍｍ2以上であることを特徴とする請求項１、請求項２、請求項３または請求項４に記載の表示タグ。
【請求項６】
前記した表示プレートはＴ字バー部、支持ピン部を別素材で形成され、上端に舌片を一体に備え、その舌片を支持ピン部の下端に一体に形成された連結部と一体的に連結されていることを特徴とする請求項１、請求項２、請求項３、請求項４または請求項５に記載の表示タグ。
【請求項７】
前記したアッセンブリの状態で前記連結部は短寸な支持材で点付けされていることを特徴とする請求項６に記載の表示タグ。
【請求項８】
前記したアッセンブリの状態で前記表示プレートはランナー部材の軸線方向に対して略９０度の角度で備えられていることを特徴とする請求項１、請求項２、請求項３、請求項４、請求項５、請求項６または請求項７に記載の表示タグ。
【請求項９】
前記したアッセンブリの状態で、前記表示プレートはランナー部材の軸線方向に対して斜交する角度で備えられていることを特徴とする請求項１、請求項２、請求項３、請求項４、請求項５、請求項６または請求項７に記載の表示タグ。
【請求項１０】
前記した角度を確保するため、前記した支持ピンと表示プレートとの継なぎ部分には略六角形、略八角形等の多角形あるいは楕円形及び軌跡に部分的な直線部を有する変形楕円形をした角度強制部が設けられていることを特徴とする請求項９に記載の表示タグ。
【請求項１１】
ランナー部材に対して斜交する角度で角度強制部の成形部を設け、その角度強制部の成形部の対角方向あるいは長軸方向に沿って表示プレート成形部を設けてあることを特徴とする表示タグの成形用型枠。
【発明の詳細な説明】
【技術分野】
【０００１】
本発明は衣服類をはじめ多種の商品に付着され、商品内容やブランド等の商品情報を表示するための表示タグ及びその成形用型枠に関する。
【背景技術】
【０００２】
一般的に前記したタグは独立した一枚の札状とされ、その一部に穿設された透孔に、商品への係止用Ｔ字バー及び抜け止めのパドルを形成したタグ取り付けピンを専用の装着器具で装着し、吊持する構成となっている。
【０００３】
しかしながら、上記した従来の構成は、情報内容を表示したタグと、そのタグを吊持するための取り付けピンの二つの分離状態にある要素を必要とし、取り付けピンをタグの透孔に挿通して商品に装着する際には、少なくともタグを位置ずれしないように目的位置に対して、片方の手の指先で押え、次いで専用の装着器具を他方の手で操作する作業が必要となる。
【先行技術文献】
【特許文献】
【０００４】
【特許文献１】出願人は本発明に関し、先行する技術文献を調査したが、格別に本発明と関連し、類似すると思われる文献は発見できなかった。
【発明の概要】
【発明が解決しようとする課題】
【０００５】
本発明が解決しようとする問題点は、表示タグにあって表示部（プレート）と、それを吊持するための取り付けピンが別々に分離されているため、装着作業が煩わしかったという点であり、特に商品が活魚の場合、その対象も動くため容易に装着することができなかったという点である。
【０００６】
加えて、表示部（プレート）と係止用のＴ字バーを連続する支持ピンを一体化した場合、それを装着器具を使用するためランナー部材に一体装備したアッセンブリとした時、表示部（プレート）の向きがランナー部材の軸線方向と揃ってしまうと、表示部（プレート）への情報内容のプリントが極めて困難となってしまうという点である。
【課題を解決するための手段】
【０００７】
上記した問題点を解決するために、本発明に係る表示タグは、商品に係止されるＴ字バー部と、そのＴ字バーから一体に延設されている支持ピン部と、その支持ピン部の先端に商品の内容、生態情報やブランドの情報を示す板状の表示プレートが一体に連接されていることを特徴とし、前記表示プレートに示される情報はプリントあるいはシールの部分貼着、もしくはシールの全体被包貼着やインサート成形によってなされていることを特徴とし、前記した表示タグは、初期的にＴ字バー部が接続部を介して所定のピッチでランナー部材に接続された一連のアッセンブリとされていることを特徴としている。
【０００８】
本発明に係る表示タグは、前記した表示プレートの幅は、前記したＴ字バー部の長さよりも大きいことを特徴とし、前記した表示プレートの面積は１５０ｍｍ2以上であることを特徴とし、前記した表示プレートはＴ字バー部、支持ピン部を別素材で形成され、上端に舌片を一体に備え、その舌片を支持ピン部の下端に一体に形成された連結部と一体的に連結されていることを特徴とし、前記したアッセンブリの状態で前記連結部は短寸な支持材で点付けされていることを特徴とし、前記したアッセンブリの状態で前記表示プレートはランナー部材の軸線方向に対して略９０度の角度で備えられていることを特徴としている。
【０００９】
また、本発明に係る表示タグは、前記したアッセンブリの状態で、前記表示プレートはランナー部材の軸線方向に対して斜交する角度で備えられていることを特徴とし、前記した角度を確保するため、前記した支持ピンと表示プレートとの継なぎ部分には略六角形、略八角形等の多角形あるいは楕円形及び軌跡に部分的な直線部を有する変形楕円形をした角度強制部が設けられていることを特徴としている。
【００１０】
さらに、本発明に係る表示タグを成形するための型枠はランナー部材に対して斜交する角度で角度強制部の成形部を設け、その角度強制部の成形部の対角方向あるいは長軸方向に沿って表示プレート成形部を設けてあることを特徴としている。
【発明の効果】
【００１１】
本発明に係る表示タグは上記のように構成されている。そのため、表示プレートと取り付けピンが一体化され、商品への装着作業が片手で実行可能となり、非常に作業性と効率が向上する。また、これをアッセンブリとして専用の装着器具を使用することとなるので、連続した装着作業が可能となる。
【００１２】
また、ランナー部材に対して表示プレートを斜交した構成としてあるので、その表示プレートに対し、プリントを行なうことが容易となる。また、この表示プレートの構成はアッセンブリとして角度強制部を設けることで可能となり、請求項１１で示した型枠を用いることで成形することができる。
【図面の簡単な説明】
【００１３】
【図１】本発明を実施した表示タグをアッセンブリ状態として示す斜視図である。
【図２】表示タグの単品を示す部分斜視図である。
【図３】表示タグの装着作業を示す図である。
【図４】成形用型枠を部分的に示す平面図である。
【図５】他の表示タグの単品を示す正面図である。
【図６】側面図である。
【図７】他の表示タグの単品を示す部分断面正面図である。
【図８】要部を示す部分側断面図である。
【図９】他の表示タグの単品を示す部分断面正面図である。
【図１０】他の表示タグをアッセンブリ状態として示す斜視図である。
【図１１】部分拡大斜視図である。
【発明を実施するための形態】
【００１４】
図面として示し、実施例で説明したように構成したことで実現した。
【実施例１】
【００１５】
次に、本発明の好ましい実施の一例を図面を参照して説明する。これらの図にあって１はプラスチック製のランナー部材であり、このランナー部材１は断面を略矩形とした直状長尺のものとなっている。このランナー部材１の一側面には所定のピッチをもってランナー部材１と同一材による接続部２、２‥が一体に設けられ、この接続部２、２‥にはやはり同一材による係止部となるＴ字バー部３、３‥が、その略中心部分を接続され、一体に設けられている。
【００１６】
このＴ字バー部３、３‥からは接続部２、２‥と同芯方向に同一材による支持ピン部４、４‥が一体に設けられている。この支持ピン部４、４‥はその径を略０．４ｍｍ〜１．０ｍｍ、長さは略１５ｍｍ前後とし、従来既知の取り付けピンよりも太目に設定している。これは、後述する表示プレートもこの支持ピン部４、４‥に一体に連結するため、千切れを防止するための補強策とされている。
【００１７】
この支持ピン部４、４‥の先端部分には、やはり同一材によって成形された表示プレート５、５‥が一体に連結されて設けられている。図１にあって、この表示プレート５、５‥は角丸とした長四角形状とし、その一方の短手方向縁を支持ピン部４、４‥に連結されたものとしている。この表示プレート５、５‥は特に角丸としなくとも、あるいは長四角形でなくともよく、例えば楕円形、円形、正方形等のほか、星形やハート形等の目的に応じた多様な形状をとることが可能である。尚、表示プレート５、５‥は長四角形とした場合、長さを２５ｍｍ〜４５ｍｍ程度、幅を１２ｍｍ〜２０ｍｍ程度、厚さを約０．２ｍｍ〜０．４ｍｍ程度に想定している。
【００１８】
また、この表示プレート５、５‥と支持ピン部４、４‥との継なぎ部分には角度強制部６、６‥が一体成形されている。本実施例にあって、この角度強制部６はランナー部材１の軸芯方向に対して、略４５度程度、表示プレート５、５‥を斜交させるため、一つの対角線を他より長く構成した偏平な六角形状をしており、その長い対角線部分に表示プレート５を位置させることで、前記した斜交状態を構成している。
【００１９】
表示プレート５、５‥の表面には、種々の商品内容を示す情報、例えばブランド名や産地名、取り扱い業者名、商品写真が表示される。この表示方法は直にプリントするほか、別途に印刷したシールを貼着したり、あるいはそのシールを大きめに構成して、表示プレート５、５‥全体を被覆し貼着する方法、または、シールを表示プレート５、５‥にインサート成形する方法が用いられる。加えて、食肉用家畜である牛、豚や活魚、果実、野菜等の食品に用いる場合には、ＤＮＡその他の生産、飼育、養殖、流通等の情報を入れるため、バーコード、二次元バーコードあるいはＩＣチップを含めたＩＣタグが保有される。
【００２０】
その情報内容を表示する際、特に直にプリントする場合、表示プレート５、５‥がランナー部材１の軸芯方向と直交するように並設されていると、各表示プレート５、５‥が重合する構成となって非常に作業が行ないにくくなる。そこで、本願では角度強制部６、６‥の存在によって表示プレート５、５‥をランナー部材１の軸芯方向と斜交、それも略４５度の角度をもつように構成し、表面への直にプリントする作業を容易ならしめている。
【００２１】
また、この角度強制部６と表示プレート５との成形は図４として示す型枠７が設けられる。この型枠７には角度強制部６を成形するためのやや偏平な六角形パート６ａが設けられ、その長い対角線部分に沿って表示プレート５を成形するため目的とする表示プレート５のサイズと適応する有底のスリットパート５ａが設けられており、溶解されたプラスチック材料を流入することで一体成形が行なわれる。尚、角度強制部６の表示プレート５と反対側には支持ピン部４が一体成形される。さらに、角度強制部６は偏平な六角形にこだわるものではなく、図４に想像線で示す偏平な八角形パート６ｂ、楕円形パート６ｃを構成して、それに対応する形状にすることもできる。尚、楕円は数学的に、平面上で、二定点（焦点）への距離の和が一定な点の軌跡をいうが、本願では、この軌跡に一部分、もしくは数箇所部分に直線部分を有する変形された楕円も想定している。
【実施例２】
【００２２】
また、本発明に係る表示タグは、図５乃至図９として示すように構成することもできる。まず、図５にあって、表示プレート１０はその表示部の面積を１５０ｍｍ2以上の大判のものとし、特に１０ｃｍ×１０ｃｍの１０００ｍｍ2程度の大きさのものまで想定している。さらに、この表示プレート１０の幅はＴ字バー部３の長さよりも大きな構成となっているもので、表示プレートにおける情報表示を大きく、内容豊富なものとしている。
【００２３】
さらに、この表示プレート１０はＴ字バー３や支持ピン部４とは別素材で成形され、その上縁に連結用の舌片１１が一体に形成されている。一方、支持ピン部４の下端には下方を開口した中空状の連結部９が一体に形成されており、この連結部９に前記舌片１１が嵌入され、熱収縮、熱溶着、インサート等の作用によって支持ピン部４と表示プレート１０が一体的に連結された構成となっている。そして、この例の場合、アッセンブリ状態として表示プレート１０の面はランナー部材１の長手方向に対して略９０度とされている。
【００２４】
図７、図８として示す表示タグの例では、表示プレート１０に関し、サイズ的なものは図５、図６に示すものと同様であるが、この場合には舌片１１に、さらに透孔１２を穿設した構成となっている。そのため、支持ピン部４の下端にある連結部９を形成する樹脂が、この透孔１２内に浸透して前後で一体につながり、表示プレート１０の脱落を確実に阻止することができることとなる。
【００２５】
また、図９に示す表示タグの例では、表示プレート１０に関し、サイズ的なものは、図５乃至図８に示すものと同様であるが、この場合は舌片１１の上端をアンダーカットした山形状（矢印形）の係合部１３を一体に形成してある。この係合部１３によって、支持ピン部４の下端にある連結部９を形成する樹脂が引っ掛かり、表示プレート１０の脱落を確実に阻止することができることとなる。
【００２６】
さらに、図５乃至図９及び図１０として示す表示タグにあって、そのアッセンブリ状態では、前記した連結部９、９‥の間を短寸な支持材１４、１４‥で連結している。この支持材１４、１４‥によって、このアッセンブリを取り付け器具８に装着し、作業をする場合、各表示プレート１０、１０‥の暴れや絡みを未然に防止することができ、スムーズな装着作業を行なうことができるようになる。
【００２７】
本実施例に係る表示タグは上記のように構成されている。この表示タグは一連に５０本が設けられたアッセンブリ（図１参照）として構成され、公知の専用取り付け器具８を使用して目的とする商品に装着される。この専用取り付け器具８にはランナー部材１が装填され、順次カッターで接続部２を切断し、表示タグを単品とし、レバーを握ることで、ピストンがスリットを設けた中空ニードルにＴ字バー部３を押し込み、商品の装着部分の向こう側にそのＴ字バー部３を送り、係止状態とする。この時に支持ピン部４は中空ニードルのスリットにガイドされる。
【００２８】
この表示タグは、衣服類は勿論、生鮮食品、それも料理店の生け簀に入れられる活魚にも使用できる。この活魚の場合には背鰭部分に装着がなされ、高級エビの場合には尾に装着がなされ、高級貝類では殻やヒンジ部に装着がなされる。これは、切り身とされた鮪等の場合には、その頭部に装着して切り身と共に陳列して示すことができ、その他、果実、野菜等にも、硬質な芯がある場合、そこを利用しての装着が可能となる。
【００２９】
また、この表示タグの表示プレート５は面積的に大きく構成してあり、そこに表示される情報内容も大きくなるため、視覚的に鮮明に判別することができる。さらに、表示プレート５が支持ピン部４と一体化されているので、片手で、ワンタッチで装着作業ができ、対象が動く活魚でも十分に対応ができる。
【産業上の利用可能性】
【００３０】
本実施例に係る表示タグ及びその成形型枠は上記のように構成されている。角度強制部６も目的とする表示プレート５のランナー部材１に対する斜交がなされれば六角形状にこだわることなく、他の形態とすることも可能であり、また、商品タグの使用目的も店頭、店内における陳列にこだわらず、広く流通業界において応用使用することが可能である。
【符号の説明】
【００３１】
１    ランナー部材
２    接続部
３    Ｔ字バー部
４    支持ピン部
５    表示プレート
５ａ  スリットパート
６    角度強制部
６ａ  六角形パート
６ｂ  八角形パート
６ｃ  楕円形パート
７    型枠
８    取り付け器具
９    連結部
１０  表示プレート
１１  舌片
１２  透孔
１３  係合部
１４  支持材
【図１】
2010224511.tif 000003
【図２】
2010224511.tif 000004
【図３】
2010224511.tif 000005
【図４】
2010224511.tif 000006
【図５】
2010224511.tif 000007
【図６】
2010224511.tif 000008
【図７】
2010224511.tif 000009
【図８】
2010224511.tif 000010
【図９】
2010224511.tif 000011
【図１０】
2010224511.tif 000012
【図１１】
2010224511.tif 000013
【手続補正書】
【提出日】平成21年6月19日(2009.6.19)
【手続補正１】
【補正対象書類名】特許請求の範囲
【補正対象項目名】全文
【補正方法】変更
【補正の内容】
【特許請求の範囲】
【請求項１】
商品に係止されるＴ字バー部と、そのＴ字バーから一体に延設されている支持ピン部と、その支持ピン部の先端に商品の内容、生態情報やブランドの情報を示す板状の表示プレートが一体に連接されていることを特徴とする表示タグ。
【請求項２】
前記表示プレートに示される情報はプリントあるいはシールの部分貼着、もしくはシールの全体被包貼着やインサート成形によってなされていることを特徴とする請求項１に記載の表示タグ。
【請求項３】
前記した表示タグは、初期的にＴ字バー部が接続部を介して所定のピッチでランナー部材に接続された一連のアッセンブリとされていることを特徴とする請求項１または請求項２に記載の表示タグ。
【請求項４】
前記した表示プレートの幅は、前記したＴ字バー部の長さよりも大きいことを特徴とする請求項１、請求項２または請求項３に記載の表示タグ。
【請求項５】
前記した表示プレートの面積は１５０ｍｍ2以上であることを特徴とする請求項１、請求項２、請求項３または請求項４に記載の表示タグ。
【請求項６】
前記した表示プレートはＴ字バー部、支持ピン部を別素材で形成され、上端に舌片を一体に備え、その舌片を支持ピン部の下端に一体に形成された連結部と一体的に連結されていることを特徴とする請求項１、請求項２、請求項３、請求項４または請求項５に記載の表示タグ。
【請求項７】
前記したアッセンブリの状態で前記連結部は短寸な支持材で点付けされていることを特徴とする請求項６に記載の表示タグ。
【請求項８】
前記したアッセンブリの状態で前記表示プレートはランナー部材の軸線方向に対して略９０度の角度で備えられていることを特徴とする請求項１、請求項２、請求項３、請求項４、請求項５、請求項６または請求項７に記載の表示タグ。
【請求項９】
前記したアッセンブリの状態で、前記表示プレートはランナー部材の軸線方向に対して斜交する角度で備えられていることを特徴とする請求項１、請求項２、請求項３、請求項４、請求項５、請求項６または請求項７に記載の表示タグ。
【請求項１０】
前記した角度を確保するため、前記した支持ピンと表示プレートとの継なぎ部分には略六角形、略八角形等の多角形あるいは楕円形及び軌跡に部分的な直線部を有する変形楕円形をした角度強制部が設けられていることを特徴とする請求項９に記載の表示タグ。
【請求項１１】
ランナー部材に対して斜交する角度で角度強制部の成形部を設け、その角度強制部の成形部の対角方向あるいは長軸方向に沿って表示プレート成形部を設けてあることを特徴とする表示タグの成形用型枠。
【請求項１２】
前記した支持ピンと表示プレートとの継なぎ部分には、任意の断面形状をした連結部が設けられていることを特徴とする請求項８に記載の表示タグ。